(57)【要約】【課題】画像を用いて利用者を認証する認証装置において、認証用画像データが改竄されることによって不正な利用者の認証が成功してしまう誤認証を防ぐ。【解決手段】認証装置１００の一次認証部１２０が利用者が常時携帯するカメラ付携帯電話に内蔵されたＲＦＩＤタグを用いて利用者の一次認証を行い、一次認証が成功すると、二次認証部１４０がカメラ付携帯電話から所定の時間内に撮影された利用者の顔画像と顔画像撮影部１３０により撮影された利用者の画像を用いて二次認証を行うよう構成する。利用者はカメラ付携帯電話を用いて認証の直前に画像を撮影し、カメラ付携帯電話は、画像撮影後に一定の時間が経過すると撮影した画像を消去する。【選択図】        図１
2007233609.tif 000002
【特許請求の範囲】
【請求項１】
利用者を撮影した画像を用いて該利用者を認証する認証装置であって、
当該認証装置によって利用者を撮影する時点より所定の時間内に撮影された利用者の画像を認証用オリジナル画像として用いて利用者を認証する利用者認証手段
を備えたことを特徴とする認証装置。
【請求項２】
前記利用者が携帯するカメラ付携帯機器を認証する携帯機器認証手段をさらに備え、
前記利用者認証手段は、前記携帯機器認証手段により認証されたカメラ付携帯機器によって前記所定の時間内に撮影された利用者の画像を用いて利用者を認証することを特徴とする請求項１に記載の認証装置。
【請求項３】
前記携帯機器認証手段は、ＲＦＩＤを備えたカメラ付携帯機器からＲＦＩＤ固有コードを受信し、該受信したＲＦＩＤ固有コードを用いてカメラ付携帯機器を認証し、
利用者の画像を撮影する利用者撮影手段をさらに備え、
前記利用者認証手段は、前記携帯機器認証手段により認証されたカメラ付携帯機器によって前記所定の時間内に撮影された利用者の画像を前記利用者撮影手段により撮影された利用者の画像と比較することによって利用者を認証することを特徴とする請求項２に記載の認証装置。
【請求項４】
利用者が携帯するカメラ付携帯機器および認証装置から構成され、利用者を撮影した画像を用いて利用者を認証する認証システムであって、
前記カメラ付携帯機器は、
前記認証装置により利用者を撮影する時点より所定の時間内に撮影した利用者の画像を該認証装置からの画像の送信要求に応答して該認証装置に送信する画像送信手段
を備え、
前記認証装置は、
前記カメラ付携帯機器を認証する携帯機器認証手段と、
前記携帯機器認証手段により認証されたカメラ付携帯機器によって前記所定の時間内に撮影された利用者の画像の送信要求を行い、該送信要求に応答してカメラ付携帯機器から送信された利用者の画像を用いて利用者を認証する利用者認証手段と、
を備えたことを特徴とする認証システム。
【請求項５】
前記カメラ付携帯機器は、
撮影した利用者の画像を記憶する画像記憶手段と、
前記所定の時間が経過すると前記画像記憶手段により記憶された利用者の画像を消去する画像消去手段をさらに備え、
前記画像送信手段は、前記認証装置から画像の送信要求を受信した場合に、前記画像記憶手段に記憶された利用者の画像を前記認証装置に送信することを特徴とする請求項４に記載の認証システム。
【請求項６】
前記カメラ付携帯機器は、
所在地を追跡することを可能とする追跡モードに遠隔操作で設定することができる追跡モード設定手段をさらに備えたことを特徴とする請求項４または５に記載の認証システム。
【請求項７】
前記カメラ付携帯機器は、
前記追跡モード設定手段により追跡モードに設定された場合に、何らかの操作が行われると画像撮影を行い、撮影した画像を所定の場所に送信する追跡画像送信手段をさらに備えたことを特徴とする請求項６に記載の認証システム。
【請求項８】
前記カメラ付携帯機器は、
前記追跡モード設定手段により追跡モードに設定された場合に、現在の所在地を示す位置情報を取得する位置情報取得手段をさらに備え、
前記追跡画像送信手段は、前記位置情報取得手段により取得された位置情報を前記画像とともに送信することを特徴とする請求項７に記載の認証システム。
【請求項９】
利用者を撮影した画像を用いて該利用者を認証する認証方法であって、
認証装置によって利用者を撮影する時点より所定の時間内に撮影された利用者の画像を認証用オリジナル画像として用いて利用者を認証する利用者認証工程
を含んだことを特徴とする認証方法。
【発明の詳細な説明】
【技術分野】
【０００１】
この発明は、利用者を撮影した画像を用いて利用者を認証する認証装置、認証システムおよび認証方法に関し、特に、認証用の画像データの改竄や利用者の特徴の変化による誤認証を防ぐことができる認証装置、認証システムおよび認証方法に関するものである。
【背景技術】
【０００２】
利用者の認証を行う技術の一つとして、利用者の顔画像を用いる技術がある。例えば、特許文献１には、利用者の顔画像をカードに登録しておき、利用者を撮影した顔画像と比較することによって利用者の認証を行う技術が開示されている。また、利用者の認証を行う他の技術として、特許文献２には、車両の利用者を携帯電話機を利用して認証する技術が開示されている。
【０００３】
【特許文献１】特開２００５−１９６５１６号公報
【特許文献２】特開２００４−２２４２６５号公報
【発明の開示】
【発明が解決しようとする課題】
【０００４】
しかしながら、利用者の認証を顔画像を用いて行う場合には、カードやセンターなどに認証用として登録された顔画像の改竄などが行われる可能性があるという問題がある。また、登録された顔画像が古くなった場合には、利用者の顔画像の特徴が変わり、正しい利用者を誤認証してしまうという問題もある。
【０００５】
この発明は、上述した従来技術による問題点を解消するためになされたものであり、認証用の画像データの改竄や利用者の特徴の変化による誤認証を防ぐことができる認証装置、認証システムおよび認証方法を提供することを目的とする。
【課題を解決するための手段】
【０００６】
上述した課題を解決し、目的を達成するため、請求項１の発明に係る認証装置は、利用者を撮影した画像を用いて該利用者を認証する認証装置であって、当該認証装置によって利用者を撮影する時点より所定の時間内に撮影された利用者の画像を認証用オリジナル画像として用いて利用者を認証する利用者認証手段を備えたことを特徴とする。
【０００７】
この請求項１の発明によれば、当該認証装置によって利用者を撮影する時点より所定の時間内に撮影された利用者の画像を認証用オリジナル画像として用いて利用者を認証するよう構成したので、認証用の画像データの改竄や利用者の特徴の変化による誤認証を防ぐことができる。
【０００８】
また、請求項２の発明に係る認証装置は、請求項１の発明において、前記利用者が携帯するカメラ付携帯機器を認証する携帯機器認証手段をさらに備え、前記利用者認証手段は、前記携帯機器認証手段により認証されたカメラ付携帯機器によって前記所定の時間内に撮影された利用者の画像を用いて利用者を認証することを特徴とする。
【０００９】
この請求項２の発明によれば、利用者が携帯するカメラ付携帯機器を認証し、認証したカメラ付携帯機器によって所定の時間内に撮影された利用者の画像を用いて利用者を認証するよう構成したので、直前に撮影された画像を認証に用いることができ、認証装置が認証用の画像データを保持する必要をなくすことができる。
【００１０】
また、請求項３の発明に係る認証装置は、請求項２の発明において、前記携帯機器認証手段は、ＲＦＩＤを備えたカメラ付携帯機器からＲＦＩＤ固有コードを受信し、該受信したＲＦＩＤ固有コードを用いてカメラ付携帯機器を認証し、利用者の画像を撮影する利用者撮影手段をさらに備え、前記利用者認証手段は、前記携帯機器認証手段により認証されたカメラ付携帯機器によって前記所定の時間内に撮影された利用者の画像を前記利用者撮影手段により撮影された利用者の画像と比較することによって利用者を認証することを特徴とする。
【００１１】
この請求項３の発明によれば、ＲＦＩＤを備えたカメラ付携帯機器からＲＦＩＤ固有コードを受信し、受信したＲＦＩＤ固有コードを用いてカメラ付携帯機器を認証し、認証したカメラ付携帯機器によって所定の時間内に撮影された利用者の画像を、撮影した利用者の画像と比較することによって利用者を認証するよう構成したので、ＲＦＩＤを用いてカメラ付携帯機器を認証することができる。
【００１２】
また、請求項４の発明に係る認証システムは、利用者が携帯するカメラ付携帯機器および認証装置から構成され、利用者を撮影した画像を用いて利用者を認証する認証システムであって、前記カメラ付携帯機器は、前記認証装置により利用者を撮影する時点より所定の時間内に撮影した利用者の画像を前記認証装置からの画像の送信要求に応答して該認証装置に送信する画像送信手段を備え、前記認証装置は、前記カメラ付携帯機器を認証する携帯機器認証手段と、前記携帯機器認証手段により認証されたカメラ付携帯機器によって前記所定の時間内に撮影された利用者の画像の送信要求を行い、該送信要求に応答してカメラ付携帯機器から送信された利用者の画像を用いて利用者を認証する利用者認証手段と、を備えたことを特徴とする。
【００１３】
この請求項４の発明によれば、カメラ付携帯機器は、認証装置により利用者を撮影する時点より所定の時間内に撮影した利用者の画像を認証装置からの画像の送信要求に応答して認証装置に送信し、認証装置は、カメラ付携帯機器を認証し、認証したカメラ付携帯機器によって所定の時間内に撮影された利用者の画像の送信要求を行い、送信要求に応答してカメラ付携帯機器から送信された利用者の画像を用いて利用者を認証するよう構成したので、直前に撮影された画像を認証に用いることができ、認証装置が認証用の画像データを保持する必要をなくすことができる。
【００１４】
また、請求項５の発明に係る認証システムは、請求項４の発明において、前記カメラ付携帯機器は、撮影した利用者の画像を記憶する画像記憶手段と、前記所定の時間が経過すると前記画像記憶手段により記憶された利用者の画像を消去する画像消去手段をさらに備え、前記画像送信手段は、前記認証装置から画像の送信要求を受信した場合に、前記画像記憶手段に記憶された利用者の画像を前記認証装置に送信することを特徴とする。
【００１５】
この請求項５の発明によれば、カメラ付携帯機器は、撮影した利用者の画像を記憶し、所定の時間が経過すると、記憶した利用者の画像を消去し、認証装置から画像の送信要求を受信した場合に、記憶した利用者の画像を認証装置に送信するよう構成したので、所定の時間が経過した画像が誤って送信されることを防ぐことができる。
【００１６】
また、請求項６の発明に係る認証システムは、請求項４または５の発明において、前記カメラ付携帯機器は、所在地を追跡することを可能とする追跡モードに遠隔操作で設定することができる追跡モード設定手段をさらに備えたことを特徴とする。
【００１７】
この請求項６の発明によれば、カメラ付携帯機器に対しては、所在地を追跡することを可能とする追跡モードに遠隔操作で設定することができるので、盗難にあった場合などに追跡モードに設定することができる。
【００１８】
また、請求項７の発明に係る認証システムは、請求項６の発明において、前記カメラ付携帯機器は、前記追跡モード設定手段により追跡モードに設定された場合に、何らかの操作が行われると画像撮影を行い、撮影した画像を所定の場所に送信する追跡画像送信手段をさらに備えたことを特徴とする。
【００１９】
この請求項７の発明によれば、カメラ付携帯機器は、追跡モードに設定された場合に、何らかの操作が行われると画像撮影を行い、撮影した画像を所定の場所に送信するよう構成したので、周辺状況の把握を支援することができる。
【００２０】
また、請求項８の発明に係る認証システムは、請求項７の発明において、前記カメラ付携帯機器は、前記追跡モード設定手段により追跡モードに設定された場合に、現在の所在地を示す位置情報を取得する位置情報取得手段をさらに備え、前記追跡画像送信手段は、前記位置情報取得手段により取得された位置情報を前記画像とともに送信することを特徴とする。
【００２１】
この請求項８の発明によれば、カメラ付携帯機器は、追跡モードに設定された場合に、現在の所在地を示す位置情報を取得し、取得した位置情報を画像とともに送信するよう構成したので、カメラ付携帯機器の所在場所正確に特定することができる。
【００２２】
また、請求項９の発明に係る認証方法は、利用者を撮影した画像を用いて該利用者を認証する認証方法であって、認証装置によって利用者を撮影する時点より所定の時間内に撮影された利用者の画像を認証用オリジナル画像として用いて利用者を認証する利用者認証工程を含んだことを特徴とする。
【００２３】
この請求項９の発明によれば、認証装置によって利用者を撮影する時点より所定の時間内に撮影された利用者の画像を認証用オリジナル画像として用いて利用者を認証するよう構成したので、認証用の画像データの改竄や利用者の特徴の変化による誤認証を防ぐことができる。
【発明の効果】
【００２４】
請求項１および９の発明によれば、認証用の画像データの改竄や利用者の特徴の変化による誤認証を防ぐことができるので、より信頼性の高い認証を行うことができるという効果を奏する。
【００２５】
請求項２および４の発明によれば、直前に撮影された画像を認証に用いることができ、認証装置は認証用の画像データを保持する必要がなくなるので、保持する画像データが改竄されることによって不正な利用者の認証が成功する誤認証や、利用者の特徴の変化による誤認証を防ぐことができるという効果を奏する。
【００２６】
また、請求項３の発明によれば、ＲＦＩＤを用いてカメラ付携帯機器を認証するので、利用者に負担を与えることなく認証を行うことができるという効果を奏する。
【００２７】
また、請求項５の発明によれば、所定の時間が経過した画像が誤って送信されることを防ぐので、所定の時間内に撮影された画像が認証に用いられることを保証することができるという効果を奏する。
【００２８】
また、請求項６の発明によれば、盗難にあった場合などに追跡モードに設定することができるので、カメラ付携帯機器が悪用されることを防ぐことができるという効果を奏する。
【００２９】
また、請求項７の発明によれば、周辺状況の把握を支援するので、カメラ付携帯機器の所在場所の特定を容易にするという効果を奏する。
【００３０】
また、請求項８の発明によれば、カメラ付携帯機器の所在場所を正確に特定することができるので、盗まれた場合など、発見を容易にすることができるという効果を奏する。
【発明を実施するための最良の形態】
【００３１】
以下に添付図面を参照して、この発明に係る認証装置、認証システムおよび認証方法の好適な実施例を詳細に説明する。なお、本実施例では、カメラ付携帯電話で撮影された顔画像を用いた車両利用者の認証に本発明を適用した場合を中心に説明する。
【実施例】
【００３２】
まず、本実施例に係る認証システムのシステム構成について説明する。図１は、本実施例に係る認証システムを説明するための説明図である。同図に示すように、この認証システムは、車両に搭載される認証装置１００と、車両の利用者が携帯し、ＲＦＩＤ(Radio Frequency IDentification)タグを備えたカメラ付携帯電話２００とが公衆回線網８０を介して接続されて構成される。なお、公衆回線網８０には、利用者の自宅のＰＣ（パソコン）および警備会社も接続されている。
【００３３】
認証装置１００は、カメラ付携帯電話２００のＲＦＩＤタグの固有コードおよび車両の利用者の顔画像を用いて利用者を認証する装置であり、ＣＰＵでプログラムを実行することによって実現することもできる。なお、ＣＰＵでプログラムを実行して実現する場合には、ナビゲーション装置のＣＰＵや車両制御装置のＣＰＵなど、車両に搭載された任意のＣＰＵを用いることができる。
【００３４】
この認証装置１００にはＲＦＩＤリーダ１０が接続され、ＲＦＩＤリーダ１０は、車両に搭載され、カメラ付携帯電話２００のＲＦＩＤタグからそのＲＦＩＤタグ固有のコードを読み出して認識装置１００に渡す。
【００３５】
また、この認証装置１００にはカメラ２０が接続され、カメラ２０は、利用者が運転席に座った際に利用者の顔画像を撮影できる位置に設置され、ＲＦＩＤリーダ１０がカメラ付携帯電話２００からＲＦＩＤタグの固有コードを読み出すと、利用者の顔画像を撮影して認識装置１００に渡す。
【００３６】
また、この認証装置１００には一次認証用データを記憶する認証用データ記憶装置３０が接続され、認証用データ記憶装置３０は、一次認証用データとしてカメラ付携帯電話２００のＲＦＩＤタグの固有コードを記憶する。
【００３７】
また、この認証装置１００は、認証が成功した場合には、ＥＴＣ(Electronic Toll Collection system)装置等の決済機器４０やエンジン５０が動作するように指示を行い、認証が失敗した場合には、自宅のＰＣ、警備会社、カメラ付携帯電話２００など指定のアドレスに顔画像撮影部１３０が撮影した画像を送信するとともに、車両に搭載されたディスプレイ６０やスピーカ７０に警告を出力する。
【００３８】
カメラ付携帯電話２００は、ＲＦＩＤタグを備え、ＲＦＩＤタグが記憶する固有コードがＲＦＩＤリーダ１０によって読み込まれる。また、このカメラ付携帯電話２００は、認識装置１００の利用者が車両を利用する直前に利用者の顔画像を撮影するために用いられ、認識装置１００からの要求に応答して、所定時間以内に撮影した顔画像を認識装置１００に送信する。
【００３９】
利用者は、このカメラ付携帯電話２００を紛失した場合、あるいは盗まれた場合は、遠隔操作によってこのカメラ付携帯電話２００を追跡モードに設定し、カメラ付携帯電話２００は、追跡モードに設定された場合には、何らかの操作が行われるたびに画像撮影を行い、定時間ごとにＧＰＳで位置情報を取得して画像とともに自宅のＰＣおよび警備会社に送信する。
【００４０】
次に、本実施例に係る認証装置１００の構成について説明する。図２は、本実施例に係る認証装置１００の構成を示す機能ブロック図である。同図に示すように、この認証装置１００は、ＲＦＩＤコード登録部１１０と、一次認証部１２０と、顔画像撮影部１３０と、二次認証部１４０と、認証成功処理部１５０と、認証失敗処理部１６０と、通信部１７０と、制御部１８０とを有する。
【００４１】
ＲＦＩＤコード登録部１１０は、カメラ付携帯電話２００が内蔵するＲＦＩＤタグの固有コードを登録する処理部であり、固有コードを受け付けて認証用データ記憶装置３０に格納する。
【００４２】
一次認証部１２０は、ＲＦＩＤタグの固有コードを用いて利用者の一次認証を行う処理部であり、具体的には、ＲＦＩＤリーダ１０に指示してカメラ付携帯電話２００から固有コードを読み出し、読み出した固有コードと認証用データ記憶装置３０に記憶された固有コードが一致するか否かに基づいて利用者の一次認証を行う。
【００４３】
顔画像撮影部１３０は、運転席に着席した利用者の顔画像をカメラ２０を用いて撮影する処理部である。顔画像の撮影にあたっては、利用者は、片目をつぶる、口を開ける、メガネをかけるなど個人の特徴がでるような動作を行うことができる。ただし、そのような動作を行う場合には、車両を利用する直前にカメラ付携帯電話２００で顔画像を撮影する場合にも同様な動作を行う必要がある。
【００４４】
二次認証部１４０は、一次認証部１２０による一次認証が成功した場合に、カメラ付携帯電話２００から所定の時間内に撮影された顔画像を認証用オリジナル画像として受け取り、顔画像撮影部１３０によって撮影された顔画像と一致するか否かによって利用者の二次認証を行う処理部である。
【００４５】
この二次認証部１４０が、カメラ付携帯電話２００から所定の時間内に撮影された顔画像を認証用オリジナル画像として受け取って二次認証を行うことによって、認識装置１００内に顔画像を登録して記憶する必要がなくなり、登録された顔画像が改竄される危険をなくすとともに、直前に撮影された顔画像を用いることで、登録された顔画像が古くなって誤認証することを防ぐことができる。
【００４６】
認証成功処理部１５０は、二次認証部１４０による二次認証が成功した場合に、エンジン５０の始動を可能とする処理を行うとともに、決済機器４０の決済機能を有効にする処理などを行う処理部である。
【００４７】
認証失敗処理部１６０は、一次認証部１２０または二次認証部１４０による認証が失敗した場合に、自宅のＰＣ、警備会社、カメラ付携帯電話２００など指定のアドレスに顔画像撮影部１３０が撮影した画像を通信部１７０を介して送信するとともに、ディスプレイ６０やスピーカ７０に警告を出力する処理部である。
【００４８】
通信部１７０は、公衆回線網８０を介してカメラ付携帯電話２００、利用者の自宅のＰＣ、警備会社などと通信する処理部であり、例えば、カメラ付携帯電話２００からは所定の時間内に撮影された顔画像を受信する。
【００４９】
制御部１８０は、認証装置１００全体の制御を行う処理部であり、具体的には、機能部間の制御の移動や機能部間のデータの受け渡しなどを行うことによって、認証装置１００を一つの装置として機能させる。
【００５０】
次に、本実施例に係るカメラ付携帯電話２００の構成について説明する。図３は、本実施例に係るカメラ付携帯電話２００の構成を示す機能ブロック図である。なお、ここでは、本実施例に係る機能部だけを示し、通話機能やデータ通信機能などを提供する機能部は省略している。
【００５１】
同図に示すように、このカメラ付携帯電話２００は、画像撮影部２１０と、顔画像データ記憶部２２０と、撮影データ記憶部２３０と、顔画像データ消去部２４０と、顔画像データ送信部２５０と、追跡モード設定部２６０と、位置情報取得部２７０と、追跡情報送信部２８０と、制御部２９０とを有する。
【００５２】
画像撮影部２１０は、画像を撮影する処理部であり、利用者の認証用画像撮影操作によって顔画像を撮影した場合には、撮影した顔画像のデータを顔画像データ記憶部２２０に格納する。なお、利用者は、車両を利用する直前に認証用顔画像を撮影し、認証用顔画像を撮影する場合に片目を瞑る、口を開ける、メガネをかけるなどの動作をすることもできる。ただし、そのような動作をする場合には、運転席で顔画像を撮るときも同様の動作をする必要がある。
【００５３】
また、この画像撮影部２１０は、追跡モードで何らかの操作が行われて画像を撮影した場合には、撮影した画像のデータを撮影データ記憶部２３０に格納する。
【００５４】
顔画像データ記憶部２２０は、利用者の認証用画像撮影操作によって撮影した顔画像のデータを記憶する記憶部である。この顔画像データ記憶部２２０に記憶された顔画像データは、撮影から所定の時間（３分、５分など）が経過すると、顔画像データ消去部２４０によって消去される。
【００５５】
撮影データ記憶部２３０は、追跡モードで何らかの操作が行われて撮影した画像のデータを記憶する記憶部である。この撮影データ記憶部２３０に記憶されたデータは、定時間ごとに追跡情報送信部２８０によってカメラ付携帯電話の所有者の自宅のＰＣや警備会社に送信される。
【００５６】
顔画像データ消去部２４０は、顔画像が撮影されて所定の時間が経過すると顔画像データ記憶部２２０に記憶された顔画像データを消去する処理部である。この顔画像データ消去部２４０が、顔画像が撮影されて所定の時間が経過すると顔画像データ記憶部２２０に記憶された顔画像データを消去することによって、認証には常に直前に撮影された画像が用いられるため、保存された認証用の画像が改竄される可能性をなくすとともに、保存された画像が古くなることに起因する誤認証を防ぐことができる。
【００５７】
顔画像データ送信部２５０は、認証装置１００からの要求に応答して顔画像データ記憶部２２０に記憶された顔画像データを認証用オリジナル画像データとして認証装置１００に送信する処理部であり、顔画像データ記憶部２２０に顔画像データがない場合には、その旨を認証装置１００に通知する。
【００５８】
追跡モード設定部２６０は、追跡モードの設定を指示する遠隔操作指示を公衆回線網８０を介して受信してカメラ付携帯電話２００を追跡モードに設定する処理部である。カメラ付携帯電話２００は、追跡モードの設定が行われると、何らかの操作が行われた場合には画像を撮影するとともに、定時間ごとにＧＰＳを用いて位置情報を取得し、撮影した画像とともに自宅ＰＣおよび警備会社に送信する。
【００５９】
この追跡モード設定部２６０が、追跡モードの設定を指示する遠隔操作指示を公衆回線網８０を介して受信してカメラ付携帯電話２００を追跡モードに設定することによって、紛失や盗難があった場合に、カメラ付携帯電話２００を遠隔操作で追跡モードに設定し、追跡に有用な情報をカメラ付携帯電話２００から送信させることができる。
【００６０】
位置情報取得部２７０は、追跡モードが設定された場合に、定時間ごとにＧＰＳを用いてカメラ付携帯電話２００の位置情報を取得する処理部であり、取得した位置情報を追跡情報送信部２８０に渡す。
【００６１】
追跡情報送信部２８０は、追跡モードが設定された場合に、位置情報取得部２７０から定時間ごとに位置情報を受け取ると、撮影データ記憶部２３０に記憶された画像データを位置情報とともに自宅ＰＣおよび警備会社に送信する処理部である。
【００６２】
制御部２９０は、カメラ付携帯電話２００全体の制御を行う処理部であり、具体的には、機能部間の制御の移動や機能部と記憶部間のデータの受け渡しなどを行うことによって、カメラ付携帯電話２００を一つの装置として機能させる。
【００６３】
次に、本実施例に係る認証装置１００による認証処理の処理手順について説明する。図４は、本実施例に係る認証装置１００による認証処理の処理手順を示すフローチャートである。なお、ここでは、この認証装置１００に、利用者が携帯するカメラ付携帯電話２００のＲＦＩＤ固有コードが事前に登録されているものとする。また、この認証処理は、乗車が検知されると起動される。
【００６４】
図４に示すように、この認証装置１００は、一次認識部１２０がＲＦＩＤ固有コードを読み込むとともに（ステップＳ１０１）、顔画像撮影部１３０が利用者の顔画像を撮影する（ステップＳ１０２）。
【００６５】
そして、一次認証部１２０は、読み込んだＲＦＩＤ固有コードがＯＫであるか否か、すなわち、読み込んだＲＦＩＤ固有コードが認証用データ記憶装置３０に記憶された認証用のＲＦＩＤ固有コードと一致するか否かを判定する（ステップＳ１０３）。
【００６６】
その結果、読み込んだＲＦＩＤ固有コードがＯＫである場合には、二次認証部１４０が顔画像撮影部１３０により撮影された顔画像がＯＫであるか否かを判定する（ステップＳ１０４）。すなわち、二次認証部１４０は、カメラ付携帯電話２００から所定時間内に撮影された認証用の顔画像データを認証用オリジナル画像として取得し、顔画像撮影部１３０が撮影した顔画像のデータと特徴が一致するか否かを判定する。
【００６７】
その結果、顔画像撮影部１３０により撮影された顔画像がＯＫである場合には、認証成功処理部１５０が、エンジン５０の始動制限を解除する処理を行い（ステップＳ１０５）、決済機器４０の機能を有効化する処理を行う（ステップＳ１０６）。
【００６８】
一方、顔画像撮影部１３０により撮影された顔画像がＯＫでない場合、および、読み込んだＲＦＩＤ固有コードがＯＫでない場合には、認証失敗処理部１６０は、車両利用を制限することとし（ステップＳ１０７）、顔画像データを指定アドレスすなわち自宅ＰＣ、警備会社、カメラ付携帯電話２００に送信し（ステップＳ１０８）、ディスプレイ６０およびスピーカ７０を用いて告知・威嚇などの警告を行う（ステップＳ１０９）。
【００６９】
このように、二次認証部１４０が、カメラ付携帯電話２００から所定時間内に撮影された認証用の顔画像データを取得して二次認証を行うことによって、認証装置１００に認証用顔画像データを保存することを不要とし、保存された認証用顔画像データが改竄される危険をなくすことができる。
【００７０】
次に、本実施例に係るカメラ付携帯電話２００が認証用の顔画像についての処理を行う認証用顔画像処理の処理手順について説明する。図５は、本実施例に係るカメラ付携帯電話２００による認証用顔画像処理の処理手順を示すフローチャートである。
【００７１】
同図に示すように、この認証用顔画像処理では、カメラ付携帯電話２００は、制御部２９０が認証準備操作、すなわち、利用者が車両を利用する直前に行う認証用顔画像撮影操作があったか否かを判定し（ステップＳ２０１）、認証準備操作があった場合には、画像撮影部２１０が顔画像を撮影し、撮影した顔画像のデータを顔画像データ記憶部２２０に格納する（ステップＳ２０２）。
【００７２】
そして、顔画像データ要求が認証装置１００からある（ステップＳ２０３、Ｙｅｓ）と、顔画像データ送信部２５０が顔画像データを認証用オリジナル画像データとして認証装置１００に送信する（ステップＳ２０４）。また、顔画像を撮影してから一定の時間が経過する（ステップＳ２０５、Ｙｅｓ）と、顔画像データ消去部２４０が顔画像データを顔画像データ記憶部２２０から消去する（ステップＳ２０６）。
【００７３】
このように、顔画像を撮影してから一定の時間が経過すると顔画像データ消去部２４０が顔画像データを顔画像データ記憶部２２０から消去することによって、所定の時間内に撮影された顔画像だけが認証装置１００に送信されることを保証することができる。
【００７４】
次に、本実施例に係るカメラ付携帯電話２００が追跡モードについての処理を行う追跡モード処理の処理手順について説明する。図６は、本実施例に係るカメラ付携帯電話２００による追跡モード処理の処理手順を示すフローチャートである。
【００７５】
同図に示すように、この追跡モード処理では、カメラ付携帯電話２００は、暗証入力が有る（ステップＳ３０１、Ｙｅｓ）と、追跡モード設定部２６０が追跡モードに設定する（ステップＳ３０２）。ここで、暗証入力とは、カメラ付携帯電話２００を追跡モードに設定する遠隔指示である。また、カメラ付携帯電話２００は、常時暗証入力を待ち受けている。
【００７６】
そして、追跡モードに設定後にカメラ付携帯電話２００に対する操作がある（ステップＳ３０３、Ｙｅｓ）と、画像撮影部２１０が画像撮影を行い（ステップＳ３０４）、撮影データ記憶部２３０に格納する。
【００７７】
そして、位置情報取得部２７０がＧＰＳを用いて位置情報を取得し（ステップＳ３０５）、追跡情報送信部２８０が位置情報と撮影データ記憶部２３０に記憶された画像データとを公衆回線網８０を介してカメラ付携帯電話２００の所有者の自宅のＰＣおよび警備会社に送信する（ステップＳ３０６）。そして、制御部２９０が一定時間が経過したか否かを判定し（ステップＳ３０７）、一定時間が経過した場合には、ステップＳ３０４に戻って写真撮影を行う。
【００７８】
このように、カメラ付携帯電話２００は、追跡モードに設定されると、操作が行われた場合や一定時間が経過した場合に画像を撮影し、位置情報と撮影した画像データを所有者の自宅のＰＣおよび警備会社に送信することによって、盗難にあった場合などに、所在の確認に有用な情報を送ることができ、カメラ付携帯電話２００が悪用されるリスクを低減することができる。
【００７９】
上述してきたように、本実施例では、認証装置１００の一次認証部１２０が車両の利用者が常時携帯するカメラ付携帯電話２００に内蔵されたＲＦＩＤタグを用いて利用者の一次認証を行い、一次認証が成功すると、二次認証部１４０がカメラ付携帯電話２００から所定の時間内に撮影された利用者の顔画像と顔画像撮影部１３０により撮影された利用者の画像を用いて二次認証を行うこととしたので、認証装置１００は二次認証用に利用者の認証用顔画像データを保存する必要がなく、認証用顔画像データが改竄されることによって不正な利用者の認証が成功してしまう誤認証を防ぐことができる。
【００８０】
また、本実施例では、カメラ付携帯電話２００の顔画像データ消去部２４０が認証用の顔画像の撮影から所定の時間が経過すると、そのデータを消去することとしたので、カメラ付携帯電話２００にも認証用顔画像データを保存する必要がなく、認証用顔画像データが改竄される危険をなくすことができる。
【００８１】
また、本実施例では、カメラ付携帯電話２００の追跡モード設定部２６０が暗証入力を遠隔指示として受け付けてカメラ付携帯電話２００を追跡モードに設定し、追跡モードが設定されると、画像撮影部２１０がカメラ付携帯電話２００に対して操作が行われた場合や一定時間が経過した場合に画像を撮影し、追跡情報送信部２８０が位置情報と撮影した画像のデータをカメラ付携帯電話２００の所有者の自宅のＰＣや警備会社に送信することとしたので、カメラ付携帯電話２００が盗難にあった場合などに、その所在をつきとめるために有効な情報を得ることができる。
【００８２】
なお、本実施例では、利用者の顔画像を用いて二次認証を行う場合について説明したが、本発明はこれに限定されるものではなく、利用者を特徴付ける他の画像を用いて二次認証を行う場合にも同様に適用することができる。
【００８３】
また、本実施例では、カメラ付携帯電話を用いて画像を撮影する場合について説明したが、本発明はこれに限定されるものではなく、利用者が携帯する他のカメラ付携帯機器を用いて画像を撮影する場合にも同様に適用することができる。
【００８４】
また、本実施例では、車両を利用する利用者の認証を行う場合について説明したが、本発明はこれに限定されるものではなく、例えば、入室する利用者を認証する場合など他の状況で利用者を認証する場合にも同様に適用することができる。
【００８５】
また、本実施例では、認証装置は認証用の顔画像データを保持しない場合について説明したが、本発明はこれに限定されるものではなく、カメラ付携帯電話から送られてくる認証用画像データが正当な利用者のものであるか否かのチェックを行うために利用者の顔画像データを保持し、二次認証をより信頼性の高いものにする場合にも同様に適用することができる。
【産業上の利用可能性】
【００８６】
以上のように、本発明に係る認証装置、認証システムおよび認証方法は、画像を用いた利用者の認証に有用であり、特に、認証用画像データが改竄される可能性がある状況で認証を行う場合に適している。
【図面の簡単な説明】
【００８７】
【図１】本実施例に係る認証システムを説明するための説明図である。
【図２】本実施例に係る認証装置の構成を示す機能ブロック図である。
【図３】本実施例に係るカメラ付携帯電話の構成を示す機能ブロック図である。
【図４】本実施例に係る認証装置による認証処理の処理手順を示すフローチャートである。
【図５】本実施例に係るカメラ付携帯電話による認証用顔画像処理の処理手順を示すフローチャートである。
【図６】本実施例に係るカメラ付携帯電話による追跡モード処理の処理手順を示すフローチャートである。
【符号の説明】
【００８８】
１０    ＲＦＩＤリーダ
２０    カメラ
３０    認証用データ記憶装置
４０    決済機器
５０    エンジン
６０    ディスプレイ
７０    スピーカ
８０    公衆回線網
１００    認証装置
１１０    ＲＦＩＤコード登録部
１２０    一次認証部
１３０    顔画像撮影部
１４０    二次認証部
１５０    認証成功処理部
１６０    認証失敗処理部
１７０    通信部
１８０    制御部
２００    カメラ付携帯電話
２１０    画像撮影部
２２０    顔画像データ記憶部
２３０    撮影データ記憶部
２４０    顔画像データ消去部
２５０    顔画像データ送信部
２６０    追跡モード設定部
２７０    位置情報所得部
２８０    追跡情報送信部
２９０    制御部
【図１】
2007233609.tif 000003
【図２】
2007233609.tif 000004
【図３】
2007233609.tif 000005
【図４】
2007233609.tif 000006
【図５】
2007233609.tif 000007
【図６】
2007233609.tif 000008